(57)【特許請求の範囲】
【請求項１】
軸末端部からフック部まで断面が円形又は楕円形のステンレス鋼、鋼又は、チタン鋼で形成された針の軸頭部をハリス止め形状に加工し、折り返した軸末端部を軸部と共によじって固定し、軸中央部とフック部との間の箇所をハリス止め形状に加工し、折り返したフック側軸末端部を軸部と共によじって固定した、針先からハリス止めまで一本の素材に拠って一体式に作られた釣針。
【請求項２】
軸末端部からフック部まで断面が円形又は楕円形のステンレス鋼、鋼又はチタン鋼で形成された針の軸頭部をハリス止め形状に加工し、折り返した軸末端部を軸部に巻きつけるか、軸部と共によじって固定し、軸中央部とフック部との間の箇所を円形、楕円形、菱形、三角形などのリング形状に加工し、折り返したフック側軸末端部を軸部に巻くか、軸部と共によじって固定した、針先からリング形状、ハリス止めまで一本の素材に拠って一体式に作られた釣針。
【請求項３】
軸末端部からフック部まで断面が円形又は楕円形のステンレス鋼、鋼又はチタン鋼、真鍮鋼で形成された針の軸頭部をハリス止め形状に加工し、折り返した軸末端部を軸部に半田付けし、軸中央部とフック部との間の箇所をハリス止め形状又は円形、楕円形、菱形、三角形などのリング形状に加工し、折り返したフック側軸末端部を軸部に巻くか、軸部と共によじって固定した、針先からハリス止め形状又はリング形状、まで一本の素材に拠って一体式に作られた釣針。
【請求項４】
軸末端部からフック部まで断面が円形又は楕円形のステンレス鋼、鋼又はチタン鋼、真鍮鋼で形成された針の軸頭部をハリス止め形状、軸中央部とフック部との間の箇所をハリス止め形状又は円形、楕円形、菱形、三角形などのリング形状に加工し、軸頭部及び軸中央部とフック部との間の箇所の折り返した軸末端部を軸部に巻きつけるか、軸部と共によじって固定するか、半田付け方法によって、針先からハリス止めまで一本の素材に拠って一体式に作られた釣針。
【発明の詳細な説明】
【技術分野】
【０００１】当発明の針は軸頭部のハリス止め形状からフック部、針先まで一本の素材によって一体式に作られた釣針である。
軸頭部をハリス止め形状に加工し、折り返した軸末端部を軸部に半田付けで固定し、フック側の軸中央部とフック部との間にハリス止め形状又は円形、楕円形、菱形、三角形などのリング形状に加工し、折り返した軸末端部を軸に巻きつけるか、又は軸と共によじって固定された物、軸頭部をハリス止め形状に加工し、折り返した軸末端部を軸部に巻くか又は折り返した軸末端部を軸部と共によじり固定し、フック側の軸中央部とフック部との間の箇所に円形、楕円形、菱形、三角形などのリング形状又はハリス止め形状に加工し、折り返したフック側軸末端部を軸に巻くか軸部と共によじり固定する。
当発明の釣針は鮎の友釣り針の装着と鼻官が装着されている糸の長さの調節も、リング形状加工部又はハリス止め形状加工部で簡単に調節ができ、さらに一般的な魚釣りのハリスにも針が簡単に装着できる。
軸頭部をハリス止め形状に加工し、一本の素材に依って針先まで一体式に加工した物、軸頭部をハリス止め形状に加工し軸中央部とフック部の箇所にリング形状又はハリス止め形状に加工し針先まで一体式に作る事で便利かつ軽量なへそ針が出来る。
現在はへそ針の軸頭部にハリス止め軸部を沿わせ結び糸で巻き接着剤で固定している方法と、へそ針の軸頭部にハリス止め軸部を沿わせ、半田付けされている物、フック部にリング形式の軸を針に沿わせて半田付けされているものが有るが、軸頭部をハリス止め形状、軸中央部とフック部との間の箇所にハリス止形状又はリング形状を一本の素材によって一体式に作られた針は無い、更に軸頭部を潰した物、潰した箇所に穴を開けた物、軸頭部を円形に曲げ官付加工された物の針は有るが、一本の素材によって軸頭部のハリス止め形状から針先まで一体式に作られた釣針は無い、当発明の釣針は結び糸も接着剤も不要である。
【産業上の技術分野】
【０００２】魚釣用釣針
【背景技術】
【０００３】鮎の友釣りの仕掛けは鼻官からへそ針（逆さ針）部分までの物と、又は仕掛け針まで糸でつながっている物がある。へそ針を仕掛け針までの糸に針の軸部を沿わせ、針の軸部を糸で巻き固定している物と鼻官からの糸をへそ針部分までにして、針の軸部にハリス止め軸部を沿わせ結び糸で巻き、結束し、接着剤で固定している物と、針軸部とハリス止め軸部を半田付けし、さらに鼻官からの糸を半田付け箇所に沿わせ、結び糸によって結束し、接着剤によって固定されている物が有るが、これら全て結び糸と接着剤は必要に成っている。
更に針の軸頭部を潰した物、潰した部分に穴を開けた物、リング状に曲げた物が有るがハリスを針に結ぶ時に知識と複雑な作業が必要で有る。
【発明が解決する為の課題】
【０００４】軽量かつ簡単に糸に針が固定できる釣針
【発明が解決する為の手段】
【０００５】軸頭部をハリス止め形状にし、軸中央部とフック部の間にハリス止め形状を設けることで鼻官からの糸とへそ針が簡単に固定できる。
【０００６】軸頭部をハリス止め形状にし、軸中央部とフック部の間にリングを設けることで鼻官からの糸とへそ針が簡単に固定できる。
【０００７】軸頭部をハリス止め形状にし、軸中央部とフック部の間にハリス止め形状又はリング形状を設けることで、軽量で尚且つ簡単に友釣り様の仕掛けができる。
【０００８】軸頭部をハリス止め形状にした釣針を作る事に拠って誰でも簡単に釣糸に針が固定できる。
【発明の実態の形態】
【０００９】発明の実施形態を実施例に基づき図面を参照して説明する。
図１Ａ軸頭部をハリス止め形状に加工し、Ｆ１の末端部をＢ軸部に巻き付けるか両軸と共によじるかに拠って固定し、軸中央部分とフック部の間にＣハリス止め形状に加工し更にＥフク部を作るながさを見越しＧ折返し軸部をＢ軸部に巻きつけるか両軸を共によじりＥフック部からＪ針先までつくる。
【００１０】図２Ａ軸頭部をハリス止め形状に加工しＦ１の端部をＢ軸部に巻きつけるか両軸と共によじって固定し軸中央とフック部の間にＥフック部の長さを見越しＤリング形状を設け、Ｇ折返し軸部をＢ軸部に巻きつけるか両軸を共によじりＥフック部からＪの針先までつくる。
【００１１】図３Ａ軸頭部をハリス止め形状に加工し、Ｂ軸部にＦ１の端部を巻きつけるか両軸と共によじる箇所を半田付け固定し、軸中央とフック部の間にＥフック部の長さを見越しＤリング形状を設け、Ｇ折返し軸部をＢ軸部に巻きつけるか両軸を共によじりＥフック部からＪの針先までつくる。
【図面の簡単な説明】
【００１２】
【図１】Ａ軸頭部をハリス止め形状に加工し、軸中央部とフック部の間にＣハリス止め形状に加工し、さらにＥフック部からＪ針先までの加工図である。
【図２】Ａ軸頭部をハリス止め形状に加工し、軸中央部とフック部の間にＤリング形状に加工し、さらにＥとフック部からＪ針先までの加工図である。
【図３】図３Ａ軸頭部をハリス止め形状に加工し、Ｂ軸部にＦ１の端部を巻きつけるか両軸と共によじる箇所を半田付け固定し、軸中央とフック部の間にＥフック部の長さを見越しＣハリス止め形状を設け、Ｇ折返し軸部をＢ軸部に巻きつけるか両軸を共によじりＥフック部からＪの針先までの加工図である。
【図４】１はＣ軸中央部とフック部との間の箇所をＣハリス止め形状に加工し、２ＦをＢ軸部と共によじり更にＥフック部からＪ針先までの部分図である。２は軸中央部とフック部の間をリング形状に加工し、折り返したフック側図３の２は２Ｆ軸末端部をＢ軸部と共によじりＥフック部からＪ針先までの加工図である。
【符合の説明】
Ａ  ハリス止め形状部
Ｂ  軸部
Ｃ  軸中央とフック部の間のハリス止め形状部
Ｄ  軸中央とフック部の間のリング形状部
Ｅ  フック部
Ｆ  Ｆ１軸末端部、Ｆ２フック側軸末端部
Ｇ  折返し軸部
Ｈ  軸頭部の折り返した軸末端部を軸部に半田付け箇所部
Ｊ  針先
【図１】
0004569892.tif 000002
【図２】
0004569892.tif 000003
【図３】
0004569892.tif 000004
【図４】
0004569892.tif 000005